(57)【要約】【課題】  浴室内に洗面器台やカウンターが設置されている場合でも、良好に設置することができ、しかも足元にも良好に散水が可能なシャワー装置を提供する。【解決手段】  複数の散水ノズル４，４を有し、下端が軸支され上下方向に回動可能なアーム３からなる上半身用の上側散水部５と、上側散水部５よりも下方に設けられ、少なくとも１つの散水ノズル４，４を有し、壁面Ｗに固定された下側散水部６を揃えたシャワー装置１の、下側散水部６の最下端の散水ノズル４は、壁面Ｗからの突出寸法ａが１５０〜２００mmで、床面からの高さｂが４００〜６００mmの位置に設けられている。【選択図】  図２
2005253633.tif 000002
【特許請求の範囲】
【請求項１】
少なくとも１つの散水ノズルを有し壁面に設けられた散水部を備えたシャワー装置において、前記散水部の最下端の散水ノズルは、前記壁面から１５０〜２００mmの突出位置で、床から４００〜６００mmの高さ位置に設けられていることを特徴とするシャワー装置。
【請求項２】
散水ノズルを有する上側散水部と、該上側散水部よりも下方の壁面に設けられ、少なくとも１つの散水ノズルを有する下側散水部を備えたシャワー装置において、前記下側散水部の最下端の散水ノズルは、前記壁面から１５０〜２００mmの突出位置で、床から４００〜６００mmの高さ位置に設けられていることを特徴とするシャワー装置。
【請求項３】
複数の散水ノズルを有し、下端が軸支され上下方向に回動可能なアームからなる上半身用の上側散水部と、該上側散水部よりも下方に設けられ、少なくとも１つの散水ノズルを有し、壁面に固定された下側散水部を備えたシャワー装置において、前記下側散水部の最下端の散水ノズルは、前記壁面から１５０〜２００mmの突出位置で、床から４００〜６００mmの高さ位置に設けられていることを特徴とするシャワー装置。
【請求項４】
前記最下端の散水ノズルの取付面を、下向きに傾斜させたことを特徴とする請求項１または請求項２または請求項３に記載のシャワー装置。
【請求項５】
前記シャワー装置には、略下向きに吐水可能な吐水口が備えられ、該吐水口の下部には、壁面から奥行２５０mm以上の洗面器台またはカウンターが配置されていることを特徴とする請求項１または請求項２または請求項３に記載のシャワー装置。
【請求項６】
前記シャワー装置には、吐水可能な吐水口に奥行方向に延びた延長用吐水口が設けられ、該吐水口の下部には、壁面から奥行１５０〜２５０mmのカウンターが配置されていることを特徴とする請求項１または請求項２または請求項３に記載のシャワー装置。
【発明の詳細な説明】
【技術分野】
【０００１】
本発明は、浴室に設置されるシャワー装置に関するものである。
【背景技術】
【０００２】
従来、浴室に設置されるシャワー装置として、例えば特許文献１に開示されているような回動アーム式のものが存在する。
しかし、このような構造では、アームが長いために、アームに備えられた各ノズルからの噴霧水圧にばらつきが生じたり、また、立った状態で使用する場合に、足元へシャワー水を噴霧させることが難しくなるという問題点があった。
そのような問題点を解決するために、発明者らは既に上アームと下アームで構成したシャワー装置、即ち特許文献２のような構造のものを提案し出願している。
【特許文献１】特開２００１−３２７４２３号公報
【特許文献２】特開２００２−１１２９１２号公報
【発明の開示】
【発明が解決しようとする課題】
【０００３】
前記特許文献２に開示されているような上アームと下アームで構成したシャワー装置において、これを浴室内に設置しようとする場合、浴室に洗面器台やカウンターが設置されている場合には、下アームが長いために設置できないという新たな問題点が生じ、また、上アームを回動させて使用する際に、カウンター等に上アームが当たる場合があるという問題点があった。
【課題を解決するための手段】
【０００４】
本発明は上記従来の問題点に鑑み案出したものであって、浴室に洗面器台やカウンターが設置されている場合でも、その上方に良好に設置することのできるシャワー装置を提供せんとするものであり、その請求項１は、少なくとも１つの散水ノズルを有し壁面に設けられた散水部を備えたシャワー装置において、前記散水部の最下端の散水ノズルは、前記壁面から１５０〜２００mmの突出位置で、床から４００〜６００mmの高さ位置に設けられていることである。
【０００５】
また請求項２は、散水ノズルを有する上側散水部と、該上側散水部よりも下方の壁面に設けられ、少なくとも１つの散水ノズルを有する下側散水部を備えたシャワー装置において、前記下側散水部の最下端の散水ノズルは、前記壁面から１５０〜２００mmの突出位置で、床から４００〜６００mmの高さ位置に設けられていることである。
【０００６】
また請求項３は、複数の散水ノズルを有し、下端が軸支され上下方向に回動可能なアームからなる上半身用の上側散水部と、該上側散水部よりも下方に設けられ、少なくとも１つの散水ノズルを有し、壁面に固定された下側散水部を備えたシャワー装置において、前記下側散水部の最下端の散水ノズルは、前記壁面から１５０〜２００mmの突出位置で、床から４００〜６００mmの高さ位置に設けられていることである。
【０００７】
また請求項４は、前記最下端の散水ノズルの取付面を、下向きに傾斜させたことである。
【０００８】
また請求項５は、前記シャワー装置には、略下向きに吐水可能な吐水口が備えられ、該吐水口の下部には、壁面から奥行２５０mm以上の洗面器台またはカウンターが配置されていることである。
【０００９】
また請求項６は、前記シャワー装置には、吐水可能な吐水口に奥行方向に延びた延長用吐水口が設けられ、該吐水口の下部には、壁面から奥行１５０〜２５０mmのカウンターが配置されていることである。
【発明の効果】
【００１０】
本発明の請求項１，請求項２，請求項３のシャワー装置は、散水部の最下端の散水ノズルは、壁面から１５０〜２００mmの突出位置で、床から４００〜６００mmの高さ位置に設けられていることにより、洗面器台やカウンターとシャワー装置が干渉しないために、良好にシャワー装置を設置することができるものとなる。
また、最下端の散水ノズルが壁面から前方側に突出しているため、洗面器台やカウンターがあっても、膝から下への散水が可能となり、足元に良好にシャワー水を噴霧させることができるものとなる。
【００１１】
また、最下端の散水ノズルの取付面を、下向きに傾斜させたことにより、座った状態でも、立った状態でも、膝から下へ良好にシャワー水を噴霧することができ、温まり感が得やすいものとなる。
【００１２】
また、シャワー装置には、略下向きに吐水可能な吐水口が備えられ、吐水口の下部には、壁面から奥行２５０mm以上の洗面器台またはカウンターが配置されていることにより、シャワー装置の下方に設けた洗面器台またはカウンター上に洗面器を置き、その洗面器内に吐水口より良好に吐水させて、洗面器内に水を溜めて使用することができ、使用勝手が良好なものとなる。
【００１３】
また、シャワー装置には、吐水可能な吐水口に奥行方向に延びた延長用吐水口が設けられ、吐水口の下部には、壁面から奥行１５０〜２５０mmのカウンターが配置されていることにより、洗面器を載せることができないカウンターが存在しても、カウンターの前に洗面器を置いて、その洗面器内に良好に延長用吐水口から吐水させて水を溜めることができ、使用勝手が良好なものとなる。
【実施例】
【００１４】
以下、本発明の実施例を図面に基づいて説明する。
図１は、シャワー装置の斜視構成図であり、シャワー装置１は、水栓機能部２の左右両側に、図示しない軸を介して上下方向に回動可能に左右のアーム３，３が設けられており、左右のアーム３には、それぞれ上下方向に３個の散水ノズル４，４，４が設けられている。
この左右のアーム３，３で上側散水部５が構成されており、この上側散水部５の下端の軸よりも下方に、下方側へ向かって延びる下側散水部６が左右に配置されており、この左右の下側散水部６にも、それぞれ上下に２個の散水ノズル４，４が設けられている。
なお、左右の下側散水部６の中央部には、下方に向けて吐水口７が設けられている。
【００１５】
図２の側面構成図で示すように、下側散水部６の最下端の散水ノズル４の配置位置は、本例では壁面Ｗから１７０mm突出した突出寸法ａで、床面から５３０mmの高さｂに配置されている。
なお、この最下端の散水ノズル４の壁面Ｗからの突出寸法ａは、１５０〜２００mmの範囲内であれば良く、また床面からの高さｂは、４００〜６００mmの高さ範囲内であれば良い。即ち、最下端の散水ノズル４の壁面Ｗからの突出寸法ａが１５０mm以下であると、下方に設置されるカウンターがあると、シャワー水がカウンターに遮られ、足元に当たらないことがあり、逆に、突出寸法ａが２００mm以上であると、突出が邪魔になるからである。また、最下端の散水ノズル４の床面からの高さｂが４００mm以下であると、カウンターがあると干渉するし、高さｂが６００mm以上であると、脚までの距離が遠くなり散水が効果的でなくなるからである。
【００１６】
また、図３に拡大側面図で示すように、下側散水部６を構成するカバー部８の前面側に散水ノズル４，４が設けられており、最下端の散水ノズル４が取り付けられたカバー部８の取付面８ａは、下向きに傾斜状となっており、本例では約２５°下向きに傾斜し、また内側に向かっても２０°傾いた取付面８ａとなっている。
【００１７】
図３において、散水ノズル４は、キャップ９を介してカバー部８に取り付けられ、キャップ９内で上下左右方向に回動できるように構成されており、散水ノズル４の首振り角は、５０°〜６０°程度に設定されて、散水ノズル４から噴出されるシャワー水の噴霧範囲は６０°程度に設定されている。
従って、最下端の散水ノズル４を最も下向きにして、その状態でシャワー水を噴霧すると、シャワー水の一部は真下に向かって噴霧され、立った状態でも、座った状態でも、足元に上手くシャワー水が当たるように設定されている。
【００１８】
なお、図４では、浴室１０内に、浴槽１１と洗面器台１３が設けられた構成であり、洗い場１２側の壁面に設けられた洗面器台１３の上方に、シャワー装置１が設置された例を示すものであり、この洗面器台１３の洗い場１２側への突出寸法ｃは、３００mm程度に設定されている。
即ち、洗面器台１３は、奥行寸法ｃが２５０〜３００mmで、床面からの高さ位置が３００〜３５０mm程度のものが多いが、このような洗面器台１３の上方にシャワー装置１を設置した場合、シャワー装置の下側散水部６の散水ノズル４からシャワー水を噴出させて、洗面器台１３の前の人の膝下高さの半分位までは、直接シャワー水を当てることができるため、膝下高さの半分位の位置に当たったシャワー水が足元の方に流れることで、十分に足元を温めることができるものとなる。
なお、洗面器台１３上には洗面器１４を載せて、この洗面器１４内にシャワー装置の吐水口７から吐水させ、良好に洗面器１４内に水や湯を溜めて使用することができるものとなる。
【００１９】
また、図５で示す浴室１０は、奥行寸法ｄが２００mm程度のカウンター１５が設置されている場合である。
このようなカウンター１５は、奥行寸法が１００〜２００mmで、床面からの高さが３５０〜４５０mmのものが多いが、このようなカウンター１５の上方にシャワー装置１を設置した場合は、シャワー装置の吐水口７を延長用吐水口７ａに交換して取り付け、この延長用吐水口７ａは、洗面室１２側へ延びたものであるため、洗面器１４をカウンター１５の前の洗い場１２上に置き、洗面器１４内に延長用吐水口７ａから吐水させて、水を良好に溜めることができるものとなる。
【００２０】
なお、このようなカウンター１５が設置されている場合でも、シャワー装置の下側散水部６の散水ノズル４から噴出されるシャワー水を、カウンター１５の前に立ったり座ったりしている人の膝下高さの半分位までは、直接当てることができるため、良好に足元をシャワー水で温めることができるものとなる。
また、アーム３を図２のように、前方側へ倒して、アーム３の散水ノズル４からの散水を全身に浴びて、良好に全身シャワーを行えるものとなる。
【図面の簡単な説明】
【００２１】
【図１】シャワー装置の斜視構成図である。
【図２】図１のシャワー装置を浴室の壁面に設置した状態の側面構成図である。
【図３】シャワー装置の下側散水部の最下端の散水ノズルの側面拡大構成図である。
【図４】浴室に設置された洗面器台の上方にシャワー装置を設置した場合の浴室の斜視構成図である。
【図５】浴室に設置されたカウンターの上方にシャワー装置を設置した状態の浴室の斜視構成図である。
【符号の説明】
【００２２】
１  シャワー装置
３  アーム
４  散水ノズル
５  上側散水部
６  下側散水部
７  吐水口
７ａ  延長用吐水口
８  カバー部
８ａ  取付面
９  キャップ
１０  浴室
１２  洗い場
１３  洗面器台
１４  洗面器
１５  カウンター
【図１】
2005253633.tif 000003
【図２】
2005253633.tif 000004
【図３】
2005253633.tif 000005
【図４】
2005253633.tif 000006
【図５】
2005253633.tif 000007